(57)【要約】【課題】農作業者が簡易に温室の屋根面に設置可能であって、低コストな温室の換気装置を提供することである。【解決手段】換気装置が、窓枠１と、窓枠１の側部１１，１３の内周側に張り出して設けた樋２１，２２と、窓枠１の内周側に上部３０側が窓枠１に対し回動自在に取付けられた回動枠３とを備え、上記回動枠３は上記樋２１，２２と窓枠１の下部１２とをラップすることを特徴とする。【選択図】      図１
2005006516.tif 000002
【特許請求の範囲】
【請求項１】
屋根面に設けられる温室の換気装置において、当該換気装置が、窓枠と、窓枠の側部の内周側に張り出して設けた樋と、窓枠の内周側に上部側が窓枠に対し回動自在に取付けられた回動枠とを備え、上記回動枠は上記樋と窓枠の下部とをラップすることを特徴とする温室の換気装置。
【請求項２】
回動枠の下部にカバー体を設け、このカバー体が窓枠の下部をラップすることを特徴とする請求項１に記載の温室の換気装置。
【請求項３】
回動枠の左右側部にカバー体を設け、このカバー体が窓枠の左右側部をラップすることを特徴とする請求項１または２に記載の温室の換気装置。
【請求項４】
窓枠の左右側部がそれぞれ温室のシートが挿入される開口部巾狭の蟻溝フレームと、当該蟻溝フレーム内に上記シートを定着する係止部材と、蟻溝フレームの斜め下方に連設した樋とを備えてなり、窓枠の上下部がそれぞれ温室のシートを定着する開口部巾狭の蟻溝フレームと、当該蟻溝フレーム内に上記シートを定着する係止部材とを備えてなることを特徴とする請求項１から３のいずれかに記載の温室の換気装置。
【請求項５】
回動枠の左右および下部がそれぞれ温室のシートが挿入される開口部巾狭の蟻溝フレームと、当該蟻溝フレーム内に上記シートを定着する係止部材とを備えてなることを特徴とする請求項１から４に記載の温室の換気装置。
【請求項６】
窓枠の下部の蟻溝フレームに、当該蟻溝フレームの開口部を覆うカバー体を設けたことを特徴とする請求項４または５に記載の温室の換気装置。
【請求項７】
窓枠の背面側に防虫用の網を取付けた請求項１から６のいずれかに記載の温室の換気装置。
【発明の詳細な説明】
【０００１】
【発明の属する技術分野】
本発明は、主として植物を育成する温室の換気装置に関し、特に温室の屋根面に設けられる換気装置の改良に関する。
【０００２】
【従来の技術】
一般に植物を育成する温室は、たとえば、地上に多数のアーチ状パイプを起立し、このアーチ状パイプに直交する横方向支柱と、シート定着用のフレームを配設して骨組を構成し、透明または半透明な合成樹脂シートを上記シート定着用のフレームを介して固定しながら屋根面、側面および妻面に展張して形成されている。
【０００３】
さらに、上記温室では換気を必要とするので、屋根面の任意の位置に開口部を形成し、この開口部に対向する天窓を備えた換気装置を設け、この天窓を開閉して換気を行っている。
【０００４】
そして、従来の換気装置は、たとえば、温室の頂部たる棟部に設けた開口部と、この棟部に設けられた開口部を開閉する山型の天窓と、リンクを介して天窓を駆動する駆動ロッドとで構成され、駆動ロッドを軸方向に移動することにより、天窓を開口部から上方に移動させることができるものであって、この天窓の移動により、開口部が開放されて温室を換気することができる（たとえば、特許文献１参照）。
【０００５】
また、この他に、屋根面に設けられた開口部を屋根面に沿ってスライドする天窓により開閉するとするもの（たとえば、特許文献２，３参照）や屋根面の大部分がリンク機構により回転および折畳まれることにより、屋根面が開口するもの（たとえば、特許文献４参照）もある。
【０００６】
【特許文献１】
特開２０００−２８７５６１号公報（全文，図２）
【０００７】
【特許文献２】
特開２００３−１５３６３４号公報（全文，図１）
【０００８】
【特許文献３】
特開２００３−００９６７７号公報（全文，図１）
【０００９】
【特許文献４】
特開２００１−１４８９４８号公報（全文，図１）
【００１０】
【発明が解決しようとする課題】
しかしながら、上記した従来の換気装置では、機能上特に問題があるわけではないが、次のような不具合がある。
【００１１】
すなわち、従来の換気装置は、温室の屋根面の全体にわたり設けられる大掛かりなものであり、装置そのものも高価であるので、温室にかかるコストが高くなってしまう。
【００１２】
また、その設置には温室を構築する専門業者に頼らざるを得ず、農作業者が換気装置を追加しようと思っても、簡易に設置することができない。
【００１３】
そこで、本発明は上記不具合を解消するために創案されたものであって、その目的とするところは、農作業者が簡易に温室の屋根面に設置可能であって、低コストな温室の換気装置を提供することである。
【００１４】
【課題を解決するための手段】
本発明の第１の課題解決手段おける温室の換気装置は、屋根面に設けられる温室の換気装置において、当該換気装置が、窓枠と、窓枠の側部の内周側に張り出して設けた樋と、窓枠の内周側に上部側が窓枠に対し回動自在に取付けられた回動枠とを備え、上記回動枠は上記樋と窓枠の下部とをラップすることを特徴とする。
【００１５】
第１の課題解決手段によれば、窓枠に回動枠を取付けた構成にしたことで軽量、コンパクト化されており、従来の換気装置に比較して安価であり、温室にかかるコストも従来に比較して減少させることができる。
【００１６】
さらに、換気装置が軽量、コンパクトであることに加えて、ブラケットを介して簡易にパイプに定着できるので、施工業者に頼ることなく農作業者自身が簡易に換気装置を設置することができる。
【００１７】
そして、窓枠に対して回動枠を回動させて窓枠を開放することにより温室を換気できるが、窓枠を遮断して状態で、たとえば、雨が降っても、回動枠は、窓枠の内周側に張り出した樋と窓枠の下部とをラップしており、回動枠の左右側部と窓枠の左右側部との間に侵入した雨水は樋を通過し温室外へ排水されるので、温室内に雨水が浸入することが防止されている。
【００１８】
本発明の第２の課題解決手段おける温室の換気装置は、第１の課題解決手段において、回動枠の下部にカバー体を設け、このカバー体が窓枠の下部をラップすることを特徴とする。
【００１９】
第２の課題解決手段によれば、回動枠の下部にはカバー体が設けられており、このカバー体が窓枠の下部をラップするので、回動枠上を流れ落ちる雨水は、このカバー体上を通過して回動枠と窓枠との間の隙間に侵入することが防止されており、この部位から温室内に雨水が浸入することは無い。
【００２０】
本発明の第３の課題解決手段おける温室の換気装置は、第１または第２の課題解決手段において、回動枠の左右側部にカバー体を設け、このカバー体が窓枠の左右側部をラップすることを特徴とする。
【００２１】
第３の課題解決手段によれば、回動枠の左右側部には、それぞれ、カバー体が装着され、この各カバー体はそれぞれ窓枠の左右側部をラップするので、回動枠の左右側部と窓枠の左右側部との間の隙間から雨水が侵入することを効果的に防止でき、雨水浸入抑制効果がより一層高くなる。
【００２２】
本発明の第４の課題解決手段おける温室の換気装置は、第１から第３のいずれかの課題解決手段において、窓枠の左右側部がそれぞれ温室のシートが挿入される開口部巾狭の蟻溝フレームと、当該蟻溝フレーム内に上記シートを定着する係止部材と、蟻溝フレームの斜め下方に連設した樋とを備えてなり、窓枠の上下部がそれぞれ温室のシートを定着する開口部巾狭の蟻溝フレームと、当該蟻溝フレーム内に上記シートを定着する係止部材とを備えてなることを特徴とする。
【００２３】
本発明の第５の課題解決手段おける温室の換気装置は、第１から第４のいずれかの課題解決手段において、回動枠の左右および下部がそれぞれ温室のシートが挿入される開口部巾狭の蟻溝フレームと、当該蟻溝フレーム内に上記シートを定着する係止部材とを備えてなることを特徴とする請求項１から４に記載の温室の換気装置。
【００２４】
第４および第５の課題解決手段によれば、温室の骨組にあらかじめ換気装置を定着させておけば、温室全体にそのままシートを展張することができ、別個に換気装置にシートを展張する作業を省くことができるから、従来の換気装置に比較してその展張作業および換気装置取付作業が容易となる。
【００２５】
本発明の第６の課題解決手段おける温室の換気装置は、第４または第５の課題解決手段において、窓枠の下部の蟻溝フレームに、当該蟻溝フレームの開口部を覆うカバー体を設けたことを特徴とする。
【００２６】
第６の課題解決手段によれば、窓枠の下部の蟻溝フレームにもその上端開口部に着脱自在に装着されるカバー体が装着されているので、当該蟻溝フレーム内に雨水が溜まることが防止され、雨水が蟻溝フレームから溢れ出して、回動枠と窓枠との間の隙間に侵入することが防止されるから、雨水浸入抑制効果がより一層高くなる。
【００２７】
本発明の第７の課題解決手段おける温室の換気装置は、第１から第６のいずれかの課題解決手段において、窓枠の背面側に防虫用の網を取付けたことを特徴とする。
【００２８】
第７の課題解決手段によれば、窓枠１開放時に害虫などが温室内に侵入することを防止できる。
【００２９】
【発明の実施の形態】
本発明の一実施の形態を、図１から図１０に基づいて説明する。図１は、本発明の一実施の形態における温室の換気装置の正面側斜視図である。図２は、本発明の一実施の形態における温室の換気装置の背面側斜視図である。図３は、本発明の一実施の形態における温室の換気装置の分解斜視図である。図４は、窓枠の上部の拡大横断面図である。図５は、窓枠の下部の拡大横断面図である。図６は、窓枠の側部の下端部における拡大斜視図である。図７は、窓枠の側部の下端部における拡大横断面図である。図８は、窓枠をパイプ材に取付けるブラケットの斜視図である。図９は、窓枠をパイプ材に取付けるブラケットの側面図である。図１０は、窓枠の下部の拡大横断面図である。
【００３０】
一実施の形態における温室の換気装置は、図１から図３に示すように、窓枠１と、窓枠１の側部１１，１３の内周側に張り出して設けた樋２１，２２と、窓枠１の内周側に上部側が窓枠に対し回動自在に取付けられた回動枠３とで構成されている。
【００３１】
以下、詳細に説明すると、窓枠１は、矩形であって、その上部１０は、図４に示すように、温室のシートＳを定着する開口部巾狭の蟻溝フレーム５０と、当該蟻溝フレーム５０の図４中左端に連接され回動枠３を係合する係合部５２と、当該蟻溝フレーム５０内に上記シートＳを定着する係止部材たる係止線条５１とで構成されている。なお、この係合部５２は、横断面略Ｃ型に形成され、図４中上端は、カール部５３が設けられ、このカール部５３で後述する回動枠３の上部３０に設けた腕７２の先端を抱持することにより、この係合部５２が腕７２と係合し、窓枠１の上部１０に回動枠３の上部３０が回動自在に取付けられることとなる。また、係合部５２の図４中上端は、カールさせてあるので、シートＳに係合部５２とが擦れあっても、シートＳの表面を傷めることが無い。
【００３２】
さらに、窓枠１の下部１２は、図５に示すように、温室のシートＳを定着する開口部巾狭の蟻溝フレーム５５と、当該蟻溝フレーム５５の図５中右端部から延設されるＬ字状の回動枠受部５６と、当該蟻溝フレーム５５内に上記シートＳを定着する係止部材たる係止線条５１とで構成され、その左側部１１は、図３および図６に示すように、シートＳが挿入される開口部巾狭の蟻溝フレーム６０と、当該蟻溝フレーム６０内に上記シートＳを定着する係止部材たる係止線条５１と、蟻溝フレーム６０の右斜め下方に連設した蟻溝フレーム状の樋２１とで構成され、その右側部１３は、図３に示すように、左側部１１と同様に、シートＳが挿入される開口部巾狭の蟻溝フレーム６５と、当該蟻溝フレーム６５内に上記シートＳを定着する係止部材たる係止線条５１と、蟻溝フレーム６５の斜め下方に連設した蟻溝フレーム状の樋２２とで構成され、右側部１３は、左側部１１の蟻溝フレーム６０と樋２１をちょうど左右逆に配置としたものである。さらに左右側部１１，１３の下端には、図１に示すように、それぞれ、雨水を温室外に排水するためのホースＨを接続するためのソケット４０が接続されている。このソケット４０は、図６および図７に示すように、外部に開口する外側通路４２，４３と中央通路４４とを備えたソケット本体４１と、ソケット本体４１の上部に一体的に設けられて左右側部１１，１３の樋２１，２２の下部を抱持する抱持部４５，４６と、外側通路４２とソケット本体の下部外方とを連通する接続部４７とで構成され、この接続部４７にはホースＨが嵌合される。そして、樋２１，２２内に侵入した雨水は、樋２１，２２内から外側通路４２，４３もしくは中央通路４４を通過して接続部４７に導かれ、ホースＨで温室外へ排水される。なお、ソケット本体４１の図７中左右幅は、樋２１，２２に取付けられた状態で蟻溝フレーム６０、６５に対向する幅に設定されており、蟻溝フレーム６０，６５内に挿入されているシートＳに経年劣化等により亀裂が生じて、蟻溝フレーム６０，６５内に雨水が浸入しても、ソケット本体４１で雨水を回収できるので、温室内に雨水が浸入することを防止している。
【００３３】
さらに、上記上下部１０，１２の蟻溝フレーム５０，５５の図３中左右端が、それぞれ左右側部１１，１３に、樋２１，２２の上面に重なるようにしてリベットで結合されている。なお、結合方法はリベット結合以外にボルトとナットや溶接等の他に公知の方法を用いるとしてもよい。したがって、窓枠１の内周側には、係合部５２、樋２１，２２および回動枠受部５６が張り出すように配置されることとなる。
【００３４】
他方、回動枠３は、矩形に形成され、その上部３０は、図４に示すように、温室のシートＳを定着する開口部巾狭の蟻溝フレーム７０と、当該蟻溝フレーム７０の底部の図４中右側から延設される略Ｃ型の腕７２と、当該蟻溝フレーム７０の底部の図４中左側から延設される板状の水平部７１とで構成され、その下部３２は、図５に示すように、温室のシートＳを定着する開口部巾狭の蟻溝フレーム７５と、当該蟻溝フレーム７５の図５中右端部から延設されるＬ字状の連結部７６と、当該蟻溝フレーム７５内に上記シートＳを定着する係止部材たる係止線条５１とで構成され、その左側部３１は、図３に示すように、シートＳが挿入される開口部巾狭の蟻溝フレーム８０と、当該蟻溝フレーム８０の底部の図３中右側から延設される板状の水平部８１と、当該蟻溝フレーム８０内に上記シートＳを定着する係止部材たる係止線条５１とで構成され、その右側部３３は、図３に示すように、左側部３１と同様に、シートＳが挿入される開口部巾狭の蟻溝フレーム８５と、当該蟻溝フレーム８５の底部の図３中左側から延設される板状の水平部８６と、当該蟻溝フレーム８５内に上記シートＳを定着する係止部材たる係止線条５１とで構成され、右側部３３は、左側部３１の蟻溝フレーム８０と水平部８１をちょうど左右逆に配置としたものである。そして、左右側部３１，３３の水平部８１，８６および蟻溝フレーム８０，８５の図３中上下端が、それぞれ、上記上下部３０，３２の水平部７１および連結部７６の上面に重なるようにしてリベットで結合されている。なお、結合方法はリベット結合以外にボルトとナットや溶接等の他に公知の方法を用いるとしてもよい。
【００３５】
また、回動枠３の上部３０と下部３２との間には、２本の補強材９０，９０が掛け渡されており、回動枠３を補強している。なお、この補強材９０，９０は、回動枠３が当該回動枠３の充分確保される材質で作られる場合には、設ける必要は無い。
【００３６】
そして、このように構成された回動枠３は、図４に示すように、上部３０の腕７２の先端を窓枠１の上部１０に設けた係合部５２に引掛けることにより、窓枠１の内周側に上部３０の腕７２の先端を支点として回動自在に取付けられる。このとき、回動枠３の外形は、窓枠１の内周で作られる形状と略同じ寸法ととなるように設定されており、回動枠３が窓枠１の内周側に取付けられると、窓枠１の内周側に張り出している、係合部５２、樋２１，２２および回動枠受部５６をラップするようになっている。
【００３７】
なお、窓枠１に回動枠３を取付けるには、上述のように、腕７２の先端を係合部５２内に引掛けることによる以外にも、回動枠３０の左右側部３１，３３の図３中上端近傍を窓枠１の左右側部１１，１３に軸支させる等、他の方法により取付けても良いが、腕７２の先端を係合部５２内に引掛けることによる方が、軸等の取付部材を必要としないので、換気装置をコスト的に安く作ることができる。
【００３８】
また、この窓枠１の上部１０と下部１２の略中央にはレール９１が掛け渡されており、このレール９１にスライド自在かつレール９１上に固定することが可能なスライド９３が設けられ、このスライド９３と上記補強材９０，９０との間にスライド９３および補強材９０，９０にそれぞれ回動自在に介装されるリンク９４，９４が設けられており、このスライド９３がレール９１上をスライドすることにより、回動枠３が窓枠１に対し回動することができるようになっており、これにより、窓枠１を開放状態と閉鎖状態とに切り替えることができる。ちなみに、具体的には、図示はしないが、レール９１に複数の溝を設け、スライド９３にはこの溝（図示せず）に出入可能な係止部材（図示せず）を設け、係止部材（図示せず）を溝（図示せず）に出入りさせることによって、スライド９３をスライドおよびレール９１上に多段階に固定可能な公知のスライドを使用すればよく、また、この窓枠１は、温室の屋根面に取付けられることから、スライド９３を地上から操作できるように、たとえば、図２に示すように、係止部材（図示せず）に連結される紐Ｒ等で上記係止部材（図示せず）の出入りを操作できるようにしておくと良い。なお、回動枠３を回動させて窓枠１を開放状態と閉鎖状態とに切り替えることができればよいので、スライドを無段階に固定できるようにしてもよく、また、たとえば、スライドをモータ等の駆動源で駆動したり、シリンダで回動枠を開閉したり、さらに、他の慣用されている方法を用いて回動枠３を回動させても良いことは無論である。
【００３９】
そして、この換気装置を温室に取付けるには、たとえば、図３に示すように、温室の屋根面の骨組を構成するパイプＰに、４つのブラケット２００を介して窓枠１を固定する。このブラケット２００は、図８および図９に示すように、横断面コ字状のブラケット本体２０１と、窓枠１の上部１０と下部１２の蟻溝フレーム５０，５５を抱持する抱持部２０２と、楔２０３とで構成されている。そして、窓枠１の下部１２については蟻溝フレーム５５を抱持部２０２で抱持しながら、ブラケット本体２０１内にパイプＰを挿入し、その状態を維持しながら楔２０３をブラケット本体２０１に設けた楔孔２０４に打ち込む。すると、蟻溝フレーム５５およびパイプＰは、抱持部２０２と楔２０３とで挟持されることになり、これにより、蟻溝フレーム５５はパイプＰに固定される。また、上部１０についても同様である。したがって、上述のように、窓枠１をブラケット２００を介してパイプＰに固定できるので、換気装置全体がパイプＰに固定される。
【００４０】
つづいて、温室の骨組にシートＳを展張するが、上述のように、すでに換気装置はパイプＰに取付けられた状態下でシートＳが展張されることとなる。そして、シートＳの展張が終了した後に、窓枠１の上部１０、下部１２、左右側部１１，１３の各蟻溝フレーム５０，５５，６０，６５内にシートＳを挿入し、その上から、係止線条５１を自己の弾性に抗して強制的に嵌合する。すると、シートＳは係止線条５１の弾性力で各蟻溝フレーム５０，５５，６０，６５の内壁に押圧されるので、シートＳは係止線条５１と各蟻溝フレーム５０，５５，６０，６５との間に挟持されて窓枠１に定着される。さらに、回動枠３の下部３２、左右側部３１，３３の各蟻溝フレーム７５，８０，８５内にシートＳを挿入し、その上から、係止線条５１を自己の弾性に抗して強制的に嵌合する。すると、シートＳは係止線条５１の弾性力で各蟻溝フレーム７５，８０，８５の内壁に押圧されるので、シートＳは係止線条５１と各蟻溝フレーム７５，８０，８５との間に挟持されて回動枠３に定着される。そうしておいてから、窓枠１と回動枠３との間のうち窓枠１の上部１０と回動枠３の上部３０との間を残してシートＳをカッター当で切断すると、回動枠３は窓枠１に対して回動することができるようになり、この回動枠３の回動により、窓枠１を開放および遮断することができ、温室の換気を行えるようになる。したがって、従来の換気装置では、温室の骨組にシートＳを展張する際、どうしても温室自体とは別個に換気装置自体にシートＳを展張する必要があるが、本発明の換気装置にあっては、温室の骨組にあらかじめ換気装置を定着させておけば、温室全体にそのままシートＳを展張することができ、別個に換気装置にシートＳを展張する作業を省くことができるから、従来の換気装置に比較してその展張作業および換気装置取付作業が容易となり、また、本発明の換気装置は、窓枠に回動枠を取付けた構成にしたことで軽量、コンパクト化されており、従来の換気装置に比較して安価であり、温室にかかるコストも従来に比較して減少させることができる。
【００４１】
さらに、換気装置が軽量、コンパクトであることに加えて、ブラケット２００を介して簡易にパイプＰに定着できるので、施工業者に頼ることなく農作業者自身が簡易に換気装置を設置することができる。
【００４２】
さらに、図３に示すように、回動枠３の下部３２、左右側部３１，３３の各蟻溝フレーム７５，８０，８５には、それぞれ、カバー体７９，１１０，１２０が装着される。このカバー体７９は、図５に示すように、蟻溝フレーム７５の上端開口部に着脱自在に装着されるカバー体本体７７と、カバー体本体７７の図５中左端から水平に延設される板上のラップ部７８とで構成され、他のカバー体１１０，１２０も同様に、それぞれ、カバー体本体１１２，１２２とラップ部１１１，１２１とで構成されている。また、窓枠１の下部１２の蟻溝フレーム５５にもその上端開口部に着脱自在に装着されるカバー体１３０が装着される。
【００４３】
このように、構成された換気装置では、窓枠１に対して回動枠３を回動させて窓枠１を開放することにより温室を換気できるが、窓枠１を遮断して状態で、たとえば、雨が降っても、回動枠３は、窓枠１の内周側に張り出した樋２１，２２と窓枠１の下部１２とをラップしており、回動枠３の左右側部３１，３３と窓枠１の左右側部１１，１３との間に侵入した雨水は樋２１，２２を通過しソケット４０，４０を介してホースＨで温室外へ排水されるので、温室内に雨水が浸入することは無い。
【００４４】
また、回動枠３の下部３２の蟻溝フレーム７５の開口部にはカバー体７９が設けられており、このカバー体７９が窓枠１の下部１２をラップするので、回動枠３上を流れ落ちる雨水は、このカバー体７９上を通過して回動枠３と窓枠１との間の隙間に侵入することが防止されており、この部位から温室内に雨水が浸入することは無い。
【００４５】
さらに、回動枠３の左右側部３１，３３の各蟻溝フレーム８０，８５には、それぞれ、カバー体１１０，１２０が装着され、このカバー体１１０，１２０は、窓枠１の左右側部１１，１３をラップするので、各蟻溝フレーム８０，８５内に雨水が侵入することを防止できるとともに、回動枠３の左右側部３１，３３と窓枠１の左右側部１１，１３との間の隙間から雨水が侵入することを効果的に防止でき、また、さらに、窓枠１の下部１２の蟻溝フレーム５５にもその上端開口部に着脱自在にカバー体１３０が装着されているので、当該蟻溝フレーム５５内に雨水が溜まることが防止され、雨水が蟻溝フレーム５５から溢れ出して、回動枠３と窓枠１との間の隙間に侵入することが防止されるから、雨水浸入抑制効果がより一層高くなる。なお、回動枠３の下部３２の蟻溝フレーム７５に装着されるカバー体７９のラップ部７８の図９中左右幅を長く設定して、窓枠１の下部１２の全体を覆うようにすれば、窓枠１の下部１２の蟻溝フレーム５５にカバー体１３０を装着しなくとも同様の効果を得ることが可能である。
【００４６】
したがって、窓枠１および回動枠３にカバー体を装着することにより雨水浸入抑制効果がより一層高くなるのである。
【００４７】
なお、回動枠３の下部３２、左右側部３１，３３の蟻溝フレーム７５，８０，８５に、それぞれ、カバー体７９，１１０，１２０のラップ部７８，１１１，１２１に相当する部材を一体的に設けるとしてもよい。
【００４８】
また、図２および図３に示すように、換気装置の窓枠１の背面側にはスライド９３を覆うように防虫用の網Ｎが取付けてある。具体的には、図１０に示すように、窓枠１の上部１０、下部１２および左右側部１１，１３の各蟻溝フレーム５０，５５，６０，６５の下端部に嵌合するクリップＣで防虫用の網Ｎの端部を挟持して取付けてある。また、スライド９３に取付けられるであろうスライドを駆動する紐Ｒ等が防虫用の網Ｎと干渉しないように、窓枠１の上部１０もしくは下部１２には滑車Ｋが取付けられており、紐Ｒを引いてスライド９３を駆動するときに、紐Ｒが防虫用の網Ｎと干渉して、窓枠１から防虫用の網Ｎが脱落することが防止されている。このように取付けられた防虫用の網Ｎは、窓枠１開放時に害虫などが温室内に侵入することを防止する。
【００４９】
【発明の効果】
各請求項の発明によれば、窓枠に回動枠を取付けた構成にしたことで軽量、コンパクト化されており、従来の換気装置に比較して安価であり、温室にかかるコストも従来に比較して減少させることができる。
【００５０】
さらに、換気装置が軽量、コンパクトであることに加えて、ブラケットを介して簡易にパイプに定着できるので、施工業者に頼ることなく農作業者自身が簡易に換気装置を設置することができる。
【００５１】
そして、窓枠に対して回動枠を回動させて窓枠を開放することにより温室を換気できるが、窓枠を遮断して状態で、たとえば、雨が降っても、回動枠は、窓枠の内周側に張り出した樋と窓枠の下部とをラップしており、回動枠の左右側部と窓枠の左右側部との間に侵入した雨水は樋を通過し温室外へ排水されるので、温室内に雨水が浸入することが防止されている。
【００５２】
請求項２の発明によれば、回動枠の下部にはカバー体が設けられており、このカバー体が窓枠の下部をラップするので、回動枠上を流れ落ちる雨水は、このカバー体上を通過して回動枠と窓枠との間の隙間に侵入することが防止されており、この部位から温室内に雨水が浸入することは無い。
【００５３】
請求項３の発明によれば、回動枠の左右側部には、それぞれ、カバー体が装着され、この各カバー体はそれぞれ窓枠の左右側部をラップするので、回動枠の左右側部と窓枠の左右側部との間の隙間から雨水が侵入することを効果的に防止でき、雨水浸入抑制効果がより一層高くなる。
【００５４】
請求項４および請求項５の発明によれば、温室の骨組にあらかじめ換気装置を定着させておけば、温室全体にそのままシートを展張することができ、別個に換気装置にシートを展張する作業を省くことができるから、従来の換気装置に比較してその展張作業および換気装置取付作業が容易となる。
【００５５】
請求項６の発明によれば、窓枠の下部の蟻溝フレームにもその上端開口部に着脱自在に装着されるカバー体が装着されているので、当該蟻溝フレーム内に雨水が溜まることが防止され、雨水が蟻溝フレームから溢れ出して、回動枠と窓枠との間の隙間に侵入することが防止されるから、雨水浸入抑制効果がより一層高くなる。
【００５６】
請求項７の発明によれば、窓枠１開放時に害虫などが温室内に侵入することを防止できる。
【図面の簡単な説明】
【図１】本発明の一実施の形態における温室の換気装置の正面側斜視図である。
【図２】本発明の一実施の形態における温室の換気装置の背面側斜視図である。
【図３】本発明の一実施の形態における温室の換気装置の分解斜視図である。
【図４】窓枠の上部の拡大横断面図である。
【図５】窓枠の下部の拡大横断面図である。
【図６】窓枠の側部の下端部における拡大斜視図である。
【図７】窓枠の側部の下端部における拡大横断面図である。
【図８】窓枠をパイプ材に取付けるブラケットの斜視図である。
【図９】窓枠をパイプ材に取付けるブラケットの側面図である。
【図１０】窓枠の下部の拡大横断面図である。
【符号の説明】
１    窓枠
３    回動枠
１０  窓枠の上部
１１  窓枠の左側部
１２  窓枠の下部
１３  窓枠の右側部
２１，２２  樋
３０  回動枠の上部
３１  回動枠の左側部
３２  回動枠の下部
３３  回動枠の右側部
５０，５５，６０，６５，７０，７５，８０，８５  蟻溝フレーム
５１  係止部材
７９，１１０，１２０，１３０  カバー体
Ｎ    防虫用の網
Ｐ    パイプ
Ｓ    シート
【図１】
2005006516.tif 000003
【図２】
2005006516.tif 000004
【図３】
2005006516.tif 000005
【図４】
2005006516.tif 000006
【図５】
2005006516.tif 000007
【図６】
2005006516.tif 000008
【図７】
2005006516.tif 000009
【図８】
2005006516.tif 000010
【図９】
2005006516.tif 000011
【図１０】
2005006516.tif 000012